(57)【特許請求の範囲】
【請求項１】
複数のバーナと、
前記複数のバーナの燃焼開始と燃焼停止を指示する燃焼指示部と、
前記複数のバーナに対して個別に設けられて、対応するバーナの燃焼炎を検知する複数の熱電対と、
前記各熱電対から出力される検知信号を入力し、いずれか一つの熱電対から出力される検知信号を選択して出力する選択回路と、
前記選択回路から出力される検知信号を増幅する増幅回路と、
前記複数のバーナのいずれかが燃焼中であるときに、前記複数の熱電対から出力される検知信号を、前記選択回路及び前記増幅回路を介して順次入力し、燃焼中のバーナに対応した熱電対の検知信号のレベルが所定の失火判定範囲内であるとき、及び、消火状態にあるバーナに対応し、該バーナの消火状態の継続により、正常動作していれば検知信号のレベルが所定の故障判定範囲から外れていると期待される熱電対の検知信号のレベルが、該故障判定範囲内であるときに、燃焼中のバーナを消火する燃焼中監視処理を行う熱電対監視部と
を備えたことを特徴とする燃焼装置。
【請求項２】
請求項１記載の燃焼装置において、
前記熱電対監視部は、
前記複数のバーナのいずれかが燃焼中である状態から前記複数のバーナの全てが消火した状態に移行したときに、該移行した時点から所定時間が経過するまでの間、前記複数の熱電対のうちの少なくとも一つの検知信号のレベルが前記故障判定範囲内である状態が継続したときは、故障報知を行い、
前記移行した時点から前記所定時間が経過するまでの間に、検知信号のレベルが前記故障判定範囲から外れた熱電対を、前記燃焼中監視処理において、消火状態の継続により、正常動作していれば検知信号のレベルが前記故障判定範囲から外れていると期待される熱電対と認識する
消火時故障検知処理を行うことを特徴とする燃焼装置。
【請求項３】
請求項２記載の燃焼装置において、
前記選択回路と前記増幅回路と前記熱電対監視部に作動電力を供給する電池と、
前記複数の各バーナの燃焼開始と燃焼停止を指示する燃焼指示部と、
電源スイッチ又は前記燃焼指示部によりいずれかのバーナの燃焼開始が指示されたときに、前記電池から前記選択回路と前記増幅回路と前記熱電対監視部への電力供給を開始し、前記燃焼指示部により燃焼中のバーナの燃焼停止が指示されたときに、前記熱電対監視部による前記消火時故障検知処理が終了した時に、前記電池から前記選択回路と前記増幅回路と前記熱電対監視部への電力供給を停止する電力供給制御部と
を備えたことを特徴とする燃焼装置。
【発明の詳細な説明】
【技術分野】
【０００１】
本発明は、熱電対によりバーナの燃焼状態を監視する燃焼装置に関する。
【背景技術】
【０００２】
従来より、バーナの燃焼状態を検出するためにバーナの近傍に設けられた熱電対を備えた燃焼装置において、バーナの燃焼中ではなく、バーナの消火操作がなされてから所定時間が経過した後に、熱電対から出力される検知信号のレベルにより熱電対回路の故障を検知するようにした構成が提案されている（例えば特許文献１参照）。
【０００３】
特許文献１に記載された燃焼装置によれば、バーナの燃焼中に熱電対の検知信号のレベルから熱電対回路の故障を検知する場合よりも、故障の判断レベルを低く（例えば、正常燃焼の検知レベルよりも低く）設定することができる。そのため、熱電対回路の故障が生じているにも拘わらず、故障が検知できないといった事態が生じることを防止することができる。
【先行技術文献】
【特許文献】
【０００４】
【特許文献１】特開２００７−１６２９９１号公報
【発明の概要】
【発明が解決しようとする課題】
【０００５】
上述した特許文献１に記載された燃焼装置においては、燃焼運転中は熱電対回路の故障検知を行っていないため、燃焼運転中や前回の燃焼運転停止時からの経過期間中に熱電対回路の故障が生じたときには、燃焼状態の検知が不能な状態で燃焼運転が行なわれるという不都合がある。
【０００６】
そこで、本発明は、熱電対による燃焼状態の検知が不能な状態で、バーナの燃焼運転が行なわれることを抑制した燃焼装置を提供することを目的とする。
【課題を解決するための手段】
【０００７】
本発明は上記目的を達成するためになされたものであり、複数のバーナと、前記複数のバーナの燃焼開始と燃焼停止を指示する燃焼指示部と、前記複数のバーナに対して個別に設けられて、対応するバーナの燃焼炎を検知する複数の熱電対と、前記各熱電対から出力される検知信号を入力し、いずれか一つの熱電対から出力される検知信号を選択して出力する選択回路と、前記選択回路から出力される検知信号を増幅する増幅回路と、前記複数のバーナのいずれかが燃焼中であるときに、前記複数の熱電対から出力される検知信号を、前記選択回路及び前記増幅回路を介して順次入力し、燃焼中のバーナに対応した熱電対の検知信号のレベルが所定の失火判定範囲内であるとき、及び、消火状態にあるバーナに対応し、消火状態の継続により、正常動作していれば検知信号のレベルが所定の故障判定範囲から外れていると期待される熱電対の検知信号のレベルが、該故障判定範囲内であるときに、燃焼中のバーナを消火する燃焼中監視処理を行う熱電対監視部とを備えたことを特徴とする（第１発明）。
【０００８】
第１発明によれば、前記複数のバーナのいずれかが燃焼中であるときに、前記熱電対監視部により前記燃焼中監視処理が行われ、消火状態が継続しているバーナに対応した熱電対についても、前記選択回路及び前記増幅回路を介して検知信号が入力され、該検知信号のレベルが前記故障判定範囲内であるときには燃焼中のバーナが消火される。
【０００９】
ここで、消火状態が継続しているバーナに応じた熱電対の検知信号は、消火状態の継続により該熱電対の温度がバーナ燃焼時よりも低下するため、該熱電対と前記選択回路及び前記増幅回路が正常動作していれば、前記故障判定範囲から外れると期待される。
【００１０】
そのため、消火状態が継続しているバーナに応じた熱電対の検知信号が、前記故障判定範囲内であるときは、該熱電対が故障しているか、或いは、前記選択回路又は前記増幅回路が故障していると考えられる。そして、前記選択回路又は前記増幅回路が故障している場合には、燃焼中のバーナの燃焼状態を熱電対の検知信号により検知することができない状態になっている。
【００１１】
そこで、前記燃焼中監視処理により、消火状態が継続しているバーナに対応した熱電対の検知信号が前記故障判定範囲内にあるときに、燃焼中のバーナを消火することによって、前記選択回路又は前記増幅回路の故障により、熱電対による燃焼状態の検知が不能な状態でバーナの燃焼が継続することを抑制することができる。
【００１２】
また、前記熱電対監視部は、前記複数のバーナのいずれかが燃焼中である状態から前記複数のバーナの全てが消火した状態に移行したときに、該移行した時点から所定時間が経過するまでの間、前記複数の熱電対のうちの少なくとも一つの検知信号のレベルが前記故障判定範囲内である状態が継続したときは、故障報知を行い、前記移行した時点から前記所定時間が経過するまでの間に、検知信号のレベルが前記故障判定範囲から外れた熱電対を、前記燃焼中監視処理において、消火状態の継続により、正常動作していれば検知信号のレベルが前記故障判定範囲から外れていると期待される熱電対と認識する消火時故障検知処理を行うことを特徴とする（第２発明）。
【００１３】
第２発明によれば、前記複数のバーナのいずれかが燃焼中である状態から前記複数のバーナの全てが消火した状態に移行すると、燃焼中であったバーナに応じた熱電対の温度が次第に低下する。そのため、前記複数の熱電対と前記選択回路及び前記増幅回路が、全て正常に作動していれば、前記所定時間が経過するまでに前記複数の熱電対の検知信号のレベルが、いずれも前記故障判定範囲から外れることになる。
【００１４】
そこで、熱電対監視部により、前記所定時間が経過するまでの間、前記複数の熱電対のうちの少なくとも一つの検知信号のレベルが前記故障判定範囲内である状態が継続したときに、報知を行なうことによって、使用者に故障への対処を促すことができる。
【００１５】
さらに、前記所定時間が経過するまでの間に、検知信号のレベルが前記故障判定範囲から外れた熱電対は、正常動作していると判断することができる。そこで、前記熱電対監視部は、前記所定時間が経過するまでの間に、検知信号のレベルが前記故障判定範囲から外れた熱電対を、消火状態の継続により、正常動作していれば検知信号のレベルが前記故障判定範囲から外れていると期待される熱電対と認識することができる。
【００１６】
また、前記選択回路と前記増幅回路と前記熱電対監視部に作動電力を供給する電池と、前記複数の各バーナの燃焼開始と燃焼停止を指示する燃焼指示部と、電源スイッチ又は前記燃焼指示部によりいずれかのバーナの燃焼開始が指示されたときに、前記電池から前記選択回路と前記増幅回路と前記熱電対監視部への電力供給を開始し、前記燃焼指示部により燃焼中のバーナの燃焼停止が指示されたときに、前記熱電対監視部による前記消火時故障検知処理が終了した時に、前記電池から前記選択回路と前記増幅回路と前記熱電対監視部への電力供給を停止する電力供給制御部とを備えたことを特徴とする（第３発明）。
【００１７】
第３発明によれば、燃焼中のバーナの燃焼停止が指示されたときに、前記複数の熱電対が全て正常に動作していれば、前記所定時間が経過する前に、前記複数の熱電対の検知信号がいずれも前記故障判定範囲から外れて前記消火時故障検知処理が終了する。そのため、前記所定時間が経過した時に、前記複数の熱電対の全てについて故障の有無を判断する場合よりも、前記複数のバーナの全てが消火状態になった時点から、前記電池から前記選択回路と前記増幅回路と前記熱電対監視部への電力供給を継続する時間を短くすることができる。そのため、前記電池の消耗を低減することができる。
【図面の簡単な説明】
【００１８】
【図１】ガスコンロの構成図。
【図２】図１に示したコントローラの構成図。
【図３】バーナ燃焼中及び消火後の熱電対による監視処理のフローチャート。
【発明を実施するための形態】
【００１９】
本発明の実施形態について、図１〜図３を参照して説明する。図１を参照して、本実施形態のガスコンロ（本発明の燃焼装置に相当する）は、上面に配置された中バーナ３ａ、大バーナ３ｂ、及び小バーナ３ｃと、グリル４内配置された上バーナ３ｄ及び下バーナ３ｅとを備え、電池５０を電源とするコントローラ３０により全体的な作動が制御される。
【００２０】
また、ガスコンロの前面には、中バーナ３ａ用の点火スイッチ６０ａ、大バーナ３ｂ用の点火スイッチ６０ｂ、小バーナ３ｃ用の点火スイッチ６０ｃ、及びグリル４用の点火スイッチ６０ｄが設けられている。なお、点火スイッチ６０ａ〜６０ｄは、本発明の燃焼指示部に相当する。
【００２１】
点火スイッチ６０ａ〜６０ｄは円筒形であって、ロータリーエンコーダ６１ａ〜６１ｄにプッシュプッシュ機構を組込んで構成されている。点火スイッチ６０ａ〜６０ｄは、常時は後方の没入位置に所在し、該没入位置から使用者の操作により一度押込まれると、プッシュプッシュ機構の働きにより前方の突出位置に前進する。そして、点火スイッチ６０ａ〜６０ｄの突出位置への前進が、図示しないリミットスイッチにより検出され、突出位置での点火スイッチ６０ａ〜６０ｄの回転操作が対応するロータリーエンコーダ６１ａ〜６１ｄにより検出される。
【００２２】
中バーナ３ａはガス供給管２０から分岐した分岐管２１ａに連通し、分岐管２１ａを介して中バーナ３ａに燃料ガスが供給される。そして、分岐管２１ａには、中バーナ３ａに対する燃料ガスの供給／遮断を切替える電磁開閉弁２２ａと、中バーナ３ａに対する燃料ガスの供給流量を変更する流量調節弁２３ａとが設けられている。また、中バーナ３ａに臨ませて、燃焼炎を検出する熱電対２４ａと点火電極２５ａとが設けられ、中バーナ３ａの中心部に鍋底温度センサ１５が設けられている。
【００２３】
同様に、大バーナ３ｂに連通した分岐管２１ｂには、電磁開閉弁２２ｂと流量調節弁２３ｂとが設けられ、大バーナ３ｂに臨ませて、熱電対２４ｂと点火電極２５ｂが設けられている。また、小バーナ３ｃに連通した分岐管２１ｃには、電磁開閉弁２２ｃと流量調節弁２３ｃとが設けられ、小バーナ３ｃに臨ませて、熱電対２４ｃと点火電極２５ｃとが設けられている。
【００２４】
また、ガス供給管２０のグリル４の上バーナ３ｄと下バーナ３ｅに連通した箇所には、電磁開閉弁２２ｄと流量調節弁２３ｄとが設けられ、上バーナ３ｄに臨ませて、熱電対２４ｄと点火電極２５ｄとが設けられている。また、下バーナ３ｅに臨ませて、熱電対２４ｅ，２４ｆと点火電極２５ｅ，２５ｆとが設けられ、さらに、グリル４の内部温度を検出するサーミスタ２６が設けられている。
【００２５】
なお、流量調節弁２３ａ〜２３ｄは、ステッピングモータにより開度が制御される電動式の可変弁であり、ステッピングモータの制御位置により複数段階の開度が設定される。また、点火電極２５ａ〜２５ｆはイグナイタ２７と接続され、イグナイタ２７から印加される高電圧により火花放電を生じて、各バーナに点火する。
【００２６】
コントローラ３０は、ＣＰＵ４０等により構成されて各バーナの燃焼運転を制御する。コントローラ３０には、熱電対２４ａ〜２４ｆから出力される検知信号と、点火スイッチ６０ａ〜６０ｄの各リミットスイッチの検出信号と、点火スイッチ６０ａ〜６０ｄの各ロータリーエンコーダ６１ａ〜６１ｄの検出信号とが入力される。
【００２７】
また、コントローラ３０から出力される制御信号により、電磁開閉弁２２ａ〜２２ｄと、流量調節弁２３ａ〜２３ｄと、イグナイタ２７と、ＬＥＤ５１の作動が制御される。さらに、コントローラ３０には、ＣＰＵ４０から出力される選択信号Ｓ1〜Ｓ6に応じて、熱電対２４ａ〜２４ｆの検知信号の中から一つの検知信号を選択して増幅回路３２に出力する選択回路３１と、点火スイッチ６０ａ〜６０ｄのリミットスイッチ及びＣＰＵ４０から出力される自己保持信号Ｈdに応じて、電池５０からＣＰＵ４０，選択回路３１，増幅回路３２への電力供給と遮断とを切替える自己保持回路３３とを備えている。
【００２８】
次に、図２を参照して、コントローラ３０の構成について説明する。ＣＰＵ４０は、メモリ（図示しない）に保持されたガスコンロの制御用プログラムを実行することにより、自己保持回路３３による電池５０からの電力供給と遮断を制御する電力供給制御部４１と、中バーナ３ａ、大バーナ３ｂ、小バーナ３ｃ、及びグリル４の上バーナ３ｄと下バーナ３ｅの燃焼状態を制御する燃焼制御部４２と、いずれかのバーナが燃焼中であるときに各熱電対２４ａ〜２４ｆの検知信号を監視する熱電対監視部４３として機能する。
【００２９】
選択回路３１は、各熱電対２４ａ〜２４ｆと増幅回路３２の間に接続されたスイッチング回路３１ａ〜３１ｆにより構成され、各スイッチング回路３１ａ〜３１ｆのＯＮ／ＯＦＦが、ＣＰＵ４０の出力ポートＰo0〜Ｐo5から出力される選択信号Ｓ1〜Ｓ6のレベル（High／Low）により制御される。
【００３０】
本実施の形態では、各選択信号Ｓ1〜Ｓ6について、レベルがHighであるときに対応するスイッチング回路がＯＮし、レベルがLowであるときに対応するスイッチング回路がＯＦＦする構成となっている。例えば、（Ｓ1，Ｓ2，Ｓ3，Ｓ4，Ｓ5，Ｓ6）＝（High，Low，Low，Low，Low，Low）であるときは、スイッチング回路３１ａがＯＮ（導通）状態となると共に、他のスイッチング回路３１ｂ〜３１ｆがＯＦＦ（遮断）状態となり、中バーナ３ａ用の熱電対２４ａの検知信号が選択回路３１及び増幅回路３２を介して、ＣＰＵ４０のＡＤ（アナログ／デジタル変換）入力ポートＰadに入力される。
【００３１】
自己保持回路３３は、点火スイッチ６０ａ〜６０ｄのリミットスイッチの少なくとも一つがＯＮしているとき、及び、ＣＰＵ４０の出力ポートＰo6から自己保持信号Ｈdが出力されているときに、電池５０からＣＰＵ４０，選択回路３１，増幅回路３２に電力供給し、点火スイッチ６０ａ〜６０ｄのリミットスイッチの全てがＯＦＦし、且つ、ＣＰＵ４０の出力ポートＰoから自己保持信号Ｈdが出力されていないときに、電池５０からＣＰＵ４０，選択回路３１，増幅回路３２への電力供給を遮断する構成となっている。
【００３２】
また、ＬＥＤ５１は各種の報知を行なうためのものであり、ＣＰＵ４０の出力ポートＰo7の出力がHighであるときに点灯し、Lowであるときに消灯する。
【００３３】
次に、図３に示したフローチャートに従って、電力供給制御部４１、燃焼制御部４２、及び熱電対監視部４３による処理について説明する。
【００３４】
ガスコンロの使用者が、点火スイッチ６０ａ〜６０ｄのいずれかを操作して、操作された点火スイッチのリミットスイッチがＯＮすると、自己保持回路３３を介して電池５０からＣＰＵ４０に電力供給され、ＣＰＵ４０が図３のフローチャートを実行する。なお、点火スイッチ６０ａ〜６０ｄとは別に電源スイッチを設け、電源スイッチがＯＮ操作されたときに、自己保持回路３３を介して電池からＣＰＵ４０に電力供給されるようにしてもよい。
【００３５】
図３のＳＴＥＰ１〜ＳＴＥＰ２は電力供給制御部４１による処理である。電力供給制御部４１は、ＳＴＥＰ１で点火スイッチ６０ａ〜６０ｄのいずれかがＯＮしていることを検知したときにＳＴＥＰ２に進み、出力ポートＰo6から自己保持信号Ｈdを出力する。そして、これにより、点火スイッチ６０ａ〜６０ｄのリミットスイッチがＯＦＦした後も、自己保持回路３３を介して電池５０からＣＰＵ４０，選択回路３１，及び増幅回路３２への電力供給が継続される状態とする。
【００３６】
続くＳＴＥＰ３は燃焼制御部４２による処理である。燃焼制御部４２は、リミットスイッチがＯＮした点火スイッチに対応したバーナに点火し、この点火スイッチの回転をロータリーエンコーダにより検出して、このバーナの火力を調節する燃焼運転を実行する。
【００３７】
例えば、中バーナ３ａの点火スイッチ６０ａのリミットスイッチがＯＮしたときには、燃焼制御部４２は、イグナイタ２７に高電圧を印加して点火電極２５ａに火花放電を生じさせた状態で、電磁開閉弁２２ａを開弁すると共に流量調節弁２３ａの開度を点火位置として、中バーナ３ａの点火処理を行う。
【００３８】
そして、燃焼制御部４２は、選択回路３１及び増幅回路３２を介してＡＤ入力ポートＰadから中バーナ３ａ用の熱電対２４ａの検知信号Ｖtcを入力し、検知信号Ｖtcにより中バーナ３ａの着火を検知した後、使用者による中バーナ３ａ用の点火スイッチ６０ａの回転操作に応じてエンコーダ６１ａから出力される角度信号に応じて、中バーナ３ａの火力を複数段階に切替える。
【００３９】
なお、大バーナ３ｂ、小バーナ３ｃ、グリル４（上バーナ３ｄ及び下バーナ３ｅ）の燃焼運転は、中バーナ３ａの場合と同様であるので、説明を省略する。
【００４０】
続くＳＴＥＰ４〜ＳＴＥＰ８のループは、熱電対監視部４３及び燃焼制御部４２による処理である。ＳＴＥＰ４〜ＳＴＥＰ５で、熱電対監視部４３は、各熱電対２４ａ〜２４ｆの検出信号Ｖtcを監視する。
【００４１】
ＳＴＥＰ４で、熱電対監視部４３は、燃焼運転中のバーナの失火の有無を判断する。熱電対監視部４３は、選択信号Ｓ1〜Ｓ6のうちで燃焼運転中のバーナに対応した熱電対を選択対象とするものを順次Highレベルとする。これにより、熱電対監視部４３は、燃焼運転中のバーナに対応する熱電対の検知信号Ｖtcを、選択回路３１及び増幅回路３２を介してＡＤ入力ポートＰadから順次入力する。
【００４２】
熱電対監視部４３は、燃焼運転中のバーナに対応する熱電対の検知信号Ｖtcが失火レベル（例えば２．５ｍＶ以下、本発明の失火判定範囲に相当する）であるか否かを判断し、Ｖtcが失火レベルであるときはＳＴＥＰ２０に分岐して、燃焼運転中のバーナを全て消火する。そして、ＳＴＥＰ３２に進み、消火されたバーナの点火スイッチがＯＦＦになったときにＳＴＥＰ１５に進む。
【００４３】
ＳＴＥＰ１５は電力供給制御部４１による処理であり、電力供給制御部４１は、出力ポートＰo6からの自己保持信号の出力を停止（ＯＦＦ）する。これにより、自己保持回路３３を介した電池５０からＣＰＵ４０，選択回路３１，及び増幅回路３２への電力供給が遮断され、ＣＰＵ４０が作動を停止する。
【００４４】
また、ＳＴＥＰ４で、燃焼運転中のバーナの失火が検知されなかったときはＳＴＥＰ５に進み、熱電対監視部４３は、不使用バーナ（消火状態にあるバーナ）に対応した熱電対の故障の有無を判断する。熱電対監視部４３は、選択信号Ｓ1〜Ｓ6のうちで不使用バーナに対応した熱電対を選択対象とするものを順次Highレベルとする。これにより、熱電対監視部４３は、不使用バーナに対応する熱電対の検知信号Ｖtcを、選択回路３１及び増幅回路３２を介してＡＤ入力ポートＰadから順次入力する。
【００４５】
熱電対監視部４３は、不使用バーナに対応する各熱電対の検知信号Ｖtcが故障レベル（例えば２．５ｍＶ以上、又は２．５ｍＶ以上の状態が６０秒間継続した場合、本発明の故障判定範囲に相当する）であるか否かを判断し、Ｖtcが故障レベルであるときはＳＴＥＰ３０に分岐する。ＳＴＥＰ３０で、熱電対監視部４３は、ＬＥＤ５１を故障表示（例えば点滅）してＳＴＥＰ３１に進み、燃焼運転中のバーナの電磁開閉弁を閉弁して燃焼中の全てのバーナを消火し、ＳＴＥＰ３２に進む。
【００４６】
ここで、前回のバーナ消火時に実行された、後述するＳＴＥＰ９以下のバーナ消火後の故障検知処理により、燃焼状態から消火されたバーナに対応する熱電対を含む全ての熱電対２４ａ〜２４ｆと選択回路３１及び増幅回路３２に、故障が生じていないことが確認されている。そのため、ＳＴＥＰ５で、不使用バーナに対応する熱電対の検知信号Ｖtcが故障レベルであったときは、この熱電対又は選択回路３１又は増幅回路３２が故障していると判断することができる。
【００４７】
そして、選択回路３１又は増幅回路３２が故障しているときには、燃焼運転中のバーナに対応した熱電対の検知信号をＡＤポートＰadから入力して、燃焼運転中のバーナの失火の有無を監視することができなくなる。そこで、この場合に、ＳＴＥＰ３１で燃焼運転中のバーナを消火することにより、燃焼状態の監視が不能な状態でバーナの燃焼運転が継続されることを防止することができる。
【００４８】
また、ＳＴＥＰ５で不使用バーナに対応する熱電対の異常が検知されなかったときにはＳＴＥＰ６に進む。ＳＴＥＰ６〜ＳＴＥＰ７は燃焼制御部４３による処理である。燃焼制御部４３は、ＳＴＥＰ６で燃焼運転中のバーナの点火スイッチがＯＦＦになったか否かを判断する。
【００４９】
そして、燃焼運転中のバーナの点火スイッチがＯＦＦになったときはＳＴＥＰ７に進み、燃焼制御部４３は、ＯＦＦになった点火スイッチに対応するバーナの電磁開閉弁を閉弁してこのバーナを消火し、ＳＴＥＰ８に進む。一方、燃焼運転中のバーナの点火スイッチがＯＦＦになっていないときにはＳＴＥＰ４に戻る。
【００５０】
なお、ＳＴＥＰ７で消火されたバーナについては、消火から所定時間（例えば６０秒、対応する熱電対の温度が故障検知ができる程度まで低下する時間を想定して、設定される）が経過した後、対応する熱電対の検知信号Ｖtcが故障レベルよりも低くなるのをＳＴＥＰ５で検出する。
【００５１】
ＳＴＥＰ８からＳＴＥＰ１４は、熱電対監視部４３による処理である。熱電対監視部４３は、ＳＴＥＰ８で、全てのバーナが消火状態になったか否かを判断する。そして、全てのバーナが消火状態になったときはＳＴＥＰ９に進み、燃焼運転中のバーナが残っているときにはＳＴＥＰ４に戻る。
【００５２】
ＳＴＥＰ９で、熱電対監視部４３は、故障検知タイマ（例えば６０秒がタイマ時間に設定される。このタイマ時間は本発明の所定時間に相当する）をスタートさせ、続くＳＴＥＰ１０〜ＳＴＥＰ１１のループにより、ＳＴＥＰ１１で故障検知タイマがタイムアップするまで、ＳＴＥＰ１０で、全ての熱電対２４ａ〜２４ｆの検知信号Ｖtcを、選択信号Ｓ1〜Ｓ6を切替えることにより、選択回路３１及び増幅回路３２を介して順次ＡＤ入力ポートＰadから入力し、各熱電対の検知信号が正常レベル（例えば２．５ｍＶ未満）になったか否かを判断する。
【００５３】
そして、全ての熱電対２４ａ〜２４ｆの検知信号Ｖtcが正常レベルになったときはＳＴＥＰ１５に分岐する。この場合は、全ての熱電対２４ａ〜２４ｆと、選択回路３１及び増幅回路３２が正常に動作していると判断することができる。
【００５４】
一方、ＳＴＥＰ１１で故障検知タイマがタイムアップしたときには、熱電対２４ａ〜２４ｆのうちのいずれかか、選択回路３１又は増幅回路３２が故障していると判断することができる。そのため、この場合にはＳＴＥＰ１２に進み、熱電対監視部４３は、上述したＳＴＥＰ３０と同様に故障報知を行なう。なお、故障報知を、例えばブザーの鳴動等、ＬＥＤ５１以外の報知手段により行なってもよい。
【００５５】
そして、続くＳＴＥＰ１３で、熱電対監視部４３は故障報知タイマをスタートさせ、ＳＴＥＰ１４で故障報知タイマがタイムアップしたときにＳＴＥＰ１５に進む。ＳＴＥＰ１５は電源供給制御部４１による処理であり、電源供給制御部４１は、出力ポートＰo6からの自己保持信号Ｈdの出力を停止する（電源ＯＦＦ）。
【００５６】
なお、本実施の形態では、本発明の燃焼装置としてガスコンロを示したが、複数の熱電対による検知信号を選択回路により選択し、増幅回路を介して入力する構成を備えた燃焼装置であれば、本発明を適用することができる。
【００５７】
また、本実施の形態では、電池５０を電源とするコントローラ３０を示したが、商用電源からの電力供給により作動するコントローラを備えた燃焼装置に対しても、本発明の効果を得ることができる。
【符号の説明】
【００５８】
３ａ…中バーナ、３ｂ…大バーナ、３ｃ…小バーナ、４…グリル、３ｄ…上バーナ、３ｅ…下バーナ、２４ａ…（中バーナ用の）熱電対、２４ｂ…（大バーナ用の）熱電対、２４ｃ…（小バーナ用の）熱電対、２４ｄ…（上バーナ用の）熱電対、２４ｅ，２４ｆ…（下バーナ用の）熱電対、３０…コントローラ、３１…選択回路、３２…増幅回路、３３…自己保持回路、４０…ＣＰＵ、４１…電力供給制御部、４２…燃焼制御部、４３…熱電対監視部、５０…電池。
【図１】
0005511596.tif 000002
【図２】
0005511596.tif 000003
【図３】
0005511596.tif 000004